(57)【特許請求の範囲】
【請求項１】
１フレームを奇数フィールドと偶数フィールドに２分割して伝送するＮＴＳＣインターレース方式の映像信号に、文字、記号、又はアイコン等からなる表示用ガイダンスを重畳する手段と、
前記奇数フィールドの各走査線と該奇数フィールドの各走査線毎にそのすぐ下に位置する前記偶数フィールドの走査線を上下２ドット一組にして前記映像信号を同一画素上に表示するドットマトリクス型液晶表示パネルを備え、
前記表示用ガイダンスが重畳された前記映像信号を前記ドットマトリクス型液晶表示パネルに表示するオンスクリーン表示装置において、
ＮＴＳＣエンコーダで変換された前記ＮＴＳＣインターレース方式の前記映像信号における各走査線の奇数ライン目と偶数ライン目を識別するライン識別手段と、
前記表示用ガイダンスを、前記奇数フィールドと前記偶数フィールドの各走査線に対応したビットマップ文字データとして格納したビットマップ文字格納手段と、
前記表示用ガイダンスを前記映像信号に重畳する場合に、前記ビットマップ文字データを構成するドットの前記奇数フィールドの走査線に対応する奇数ライン目を、前記ライン識別手段から得られた前記走査線の奇数ライン目に指定する手段とを備え、
前記ビットマップ文字格納手段に格納された前記ビットマップ文字データのうち、前記奇数フィールドの所定の走査線に対応した前記ビットマップ文字データと該所定の走査線のすぐ下に位置する前記偶数フィールドの走査線に対応した前記ビットマップ文字データを上下２ドットの組にして格納し、
前記所定の走査線に対応した前記ビットマップ文字データと該所定の走査線のすぐ下に位置する前記偶数フィールドの走査線に対応した前記ビットマップ文字データが前記ドットマトリクス型液晶表示パネルの同一ラインに表示されるように構成したことを特徴とするオンスクリーン表示装置。
【請求項２】
前記請求項１に記載のオンスクリーン表示装置において、
文字の水平方向ラインを構成する要素のうち、ドット数の多いラインから順番に優先順序をつけ、前記ビットマップ文字格納手段に格納された前記ビットマップ文字データのうち、水平方向のドット数の多いラインから優先的に前記奇数フィールドの前記所定の走査線と該所定の走査線のすぐ下に位置する前記偶数フィールドの走査線に対応するデータを２ドットの組としたことを特徴とするオンスクリーン表示装置。
【請求項３】
前記請求項１乃至２に記載のオンスクリーン表示装置において、
文字の要素の一部を省略して前記ビットマップ文字格納手段に前記ビットマップ文字データを格納する場合には、文字の水平方向ラインを構成する要素のうち、ドット数の多いラインから順番に優先順序をつけ、優先順序の高い水平ラインに隣り合う優先順序の低い上ライン又は下ラインのデータのいずれか一方を兼用して前記ビットマップ文字格納手段に前記ビットマップ文字データとして格納することを特徴とするオンスクリーン表示装置。
【発明の詳細な説明】
【０００１】
【発明の属する技術分野】
本発明は、ＮＴＳＣインターレース方式の映像信号を入力し、奇数フィールドと偶数フィールドとを同一画素上に表示する低画素タイプのドットマトリクス型液晶表示装置に係わり、特に入力映像に文字、記号、又はアイコン等の表示用ガイダンスを重畳表示するオンスクリーン表示装置に関するものである。
【０００２】
【従来の技術】
ＮＴＳＣインターレース方式の映像信号は、１フレーム分で合計５２５本の走査線数を奇数フィールドと偶数フィールドとに２分割して伝送している。一般に低画素タイプの液晶映像表示装置、例えば７〜８インチサイズの液晶テレビにおいては、垂直方向の画素数が２４０画素程度で構成されているため、液晶テレビ側では例えば有効走査線数４８０本の映像を垂直画素数２４０画素の液晶パネルに表示しなければならない。
【０００３】
従来から、図７に示すように、奇数フィールドと偶数フィールドとからなる映像信号を、ドットマトリクス型液晶表示パネルの同一画素上に表示する方法として、走査線の奇数ライン目と偶数ライン目との信号を同一垂直画素上に重ねて表示する液晶ドライバーが開発されている。これは、図７（ｃ）に示すように、偶数ライン目の映像信号を奇数ライン目へ繰り上げて表示するものである。
【０００４】
しかしながら、本来４８０本ある走査線の映像を垂直画素数２４０画素で表示するため、奇数ライン目の信号と偶数ライン目との信号を、同一垂直画素上に重ねて表示することにより、垂直方向の表示解像度が１／２となり画面上の表示品質が低下するという問題を有している。
【０００５】
このような低画素タイプの液晶表示装置の表示品位を改善する従来技術として、例えば特開平６−８６１７１号公報には、画面上にスーパーインポーズされた文字の輪郭を改善するために、文字を垂直方向に２倍に拡大して表示する字幕スーパーインポーズ信号処理回路が提案されている。
【０００６】
また、特開平７−２６４５１８号公報には、走査線３本分の画像データを１本の走査ライン上に表示することにより、受信画像の表示品位を改善する液晶表示方法が提案されている。
【０００７】
【発明が解決しようとする課題】
しかしながら、上述した従来の技術においては、走査線の奇数ライン目と偶数ライン目との信号が同一垂直画素上に重ねて表示される液晶表示装置の場合、映像信号に後から重畳するオンスクリーン表示文字等の垂直方向の解像度の低下が生じるという問題があった。
【０００８】
ここで、図８に示すように、例えば「二」という文字を画面上に表示するとき、上の横棒「一」と下の横棒「一」とをそれぞれ走査線上下２ドットの組で構成した場合について説明する。いま、文字「二」の上の横棒「一」のスタート位置が奇数ライン▲１▼から、また文字「二」の下の横棒「一」のスタート位置が偶数ライン▲６▼から始まるとする。
【０００９】
図８（ａ）のような文字「二」の表示は時間軸で見ると、図８（ｂ）に示すように、各フィールド毎に文字データが重畳され、液晶表示装置側では、図８（ｃ）に示すように、偶数ライン▲２▼の文字データは上の奇数ライン▲１▼に繰り上げられるので、図８（ｄ）に示すように、文字「二」の上の横棒「一」は▲１▼ラインと▲２▼ラインとを同じ画素に描画するのではっきり表示することができる．
次に、図８（ｃ）のように、文字「二」の下の横棒「一」は、偶数ライン▲６▼から始まる文字データのため、１ドット目はすぐ上の奇数ライン▲５▼に繰り上げられ、下の２ドット目はもともと奇数ライン▲７▼にあるためそのままの位置に表示される。その結果、液晶表示画面上では、図８（ｄ）に示すように、文字「二」の下の横棒「一」が、走査ライン▲５▼と▲７▼に分割表示されることになる。
【００１０】
すなわち、文字「二」の上の横棒「一」が走査線の奇数ライン目と偶数ライン目とにある場合、液晶表示画面上の同一垂直画素上に重ねて表示されるときは比較的見やすいが、下の横棒「一」が走査線偶数ライン目と奇数ライン目とにある場合は、文字データが２つの走査ラインに分割表示されるため、輪郭のぼけ、文字がちらつくという不具合が発生する。
【００１１】
これを解決するために、図９に示すように、オンスクリーン表示する文字又はアイコンのスタート位置を１ライン下にずらすと、今度は図９（ｄ）に示すように、文字「二」の上の「一」が走査線の偶数ライン目と奇数ライン目とにあたり見づらくなるという逆の問題が生じる。
【００１２】
以上のように、従来の技術では、オンスクリーン表示する５０％程度の文字やアイコンにおける輪郭のぼけやちらつき、或いはフリッカーが発生し、表示品質が低下するという問題を有していた。
【００１３】
さらに、画数が多い漢字文字等をオンスクリーン表示する場合、種々の大きさの文字で各構成要素を形成する複数のドット位置にて上記の要因が重なり、複雑な文字の解像度（表示品質）を低下させる一因となっていた。
【００１４】
本発明は、上記課題に鑑みてなされたものであり、奇数フィールドと偶数フィールドとからなる映像信号を同一の画素に表示する低画素タイプの液晶パネルを用いて、画面上に文字、記号、アイコン等の表示ガイダンスをオンスクリーン表示する際、その表示ガイダンスの輪郭をはっきりさせて、表示品質を向上させることが可能なオンスクリーン表示装置を提供するものである。
【００１５】
【課題を解決するための手段】
本発明は、１フレームを奇数フィールドと偶数フィールドに２分割して伝送するＮＴＳＣインターレース方式の映像信号に、文字、記号、又はアイコン等からなる表示用ガイダンスを重畳する手段と、前記奇数フィールドの各走査線と該奇数フィールドの各走査線毎にそのすぐ下に位置する前記偶数フィールドの走査線を上下２ドット一組にして前記映像信号を同一画素上に表示するドットマトリクス型液晶表示パネルを備え、前記表示用ガイダンスが重畳された前記映像信号を前記ドットマトリクス型液晶表示パネルに表示するオンスクリーン表示装置において、ＮＴＳＣエンコーダで変換された前記ＮＴＳＣインターレース方式の前記映像信号における各走査線の奇数ライン目と偶数ライン目を識別するライン識別手段と、前記表示用ガイダンスを、前記奇数フィールドと前記偶数フィールドの各走査線に対応したビットマップ文字データとして格納したビットマップ文字格納手段と、前記表示用ガイダンスを前記映像信号に重畳する場合に、前記ビットマップ文字データを構成するドットの前記奇数フィールドの走査線に対応する奇数ライン目を、前記ライン識別手段から得られた前記走査線の奇数ライン目に指定する手段とを備え、前記ビットマップ文字格納手段に格納された前記ビットマップ文字データのうち、前記奇数フィールドの所定の走査線に対応した前記ビットマップ文字データと該所定の走査線のすぐ下に位置する前記偶数フィールドの走査線に対応した前記ビットマップ文字データを上下２ドットの組にして格納し、前記所定の走査線に対応した前記ビットマップ文字データと該所定の走査線のすぐ下に位置する前記偶数フィールドの走査線に対応した前記ビットマップ文字データが前記ドットマトリクス型液晶表示パネルの同一ラインに表示されるように構成したことを特徴とする。
【００１７】
また、本発明は、文字の水平方向ラインを構成する要素のうち、ドット数の多いラインから順番に優先順序をつけ、前記ビットマップ文字格納手段に格納された前記ビットマップ文字データのうち、水平方向のドット数の多いラインから優先的に前記奇数フィールドの前記所定の走査線と該所定の走査線のすぐ下に位置する前記偶数フィールドの走査線に対応するデータを２ドットの組としたことを特徴とする。
【００１８】
また、本発明は、文字の要素の一部を省略して前記ビットマップ文字格納手段に前記ビットマップ文字データを格納する場合には、文字の水平方向ラインを構成する要素のうち、ドット数の多いラインから順番に優先順序をつけ、優先順序の高い水平ラインに隣り合う優先順序の低い上ライン又は下ラインのデータのいずれか一方を兼用して前記ビットマップ文字格納手段に前記ビットマップ文字データとして格納することを特徴とする。
【００１９】
【発明の実施の形態】
以下、本発明のオンスクリーン表示装置の一実施形態を、例えば液晶テレビ内臓型ポータブルＤＶＤ（Ｄｉｇｉｔａｌ  Ｖｅｒｓａｔｉｌｅ  Ｄｉｓｃ）プレーヤーに適用した場合について、図１乃至図９とともに詳細に説明する。
【００２０】
図１は本実施形態における概略構成を示すプロック図である。
図１中、ＤＶＤ１に記録された信号は、フロントプロセッサー２の光ピックアップ２ａにて読み取られ、ＲＦアンプ２ｂで増幅された後、イコライザ２ｃにて波形等化処理される。そして、チャンネルデコーダ２ｄでＤＥＭＯＤ処理、及びエラー訂正処理が施され、ＭＰＥＧビットストリームとして、後段のＡＶデコーダ６に入力される。
【００２１】
ＡＶデコーダ６に入力されたＭＰＥＧビットストリームは、該ビットストリーム内の各パックに挿入されているストリームＩＤにより、オーディオデータ、ビデオデータに分離される。
【００２２】
一方、オンスクリーン表示する文字、記号、アイコン等はフラッシュＲＯＭ５にビットマップ文字データとして格納されており、リモコン３の操作キーが押されると、ＣＰＵ４がオンスクリーン表示モードを指示し、フラッシュＲＯＭ５から選択された文字データが制御ラインに重畳され、ＡＶデコーダ６内部のＯＳＤデータ部６ｃに送られる。
【００２３】
ＯＳＤデータ部６ｃからの文字データは、ビデオデータに重畳されて、次段のＮＴＳＣエンコーダ６ｄに出力され、ＮＴＳＣ映像信号に変換された後、ＬＣＤコントローラ９を経て、ＬＣＤユニット１０に表示される。尚、オーディオデータは、Ｄ／Ａコンバータ７に出力され、スピーカ１０から出力される。
【００２４】
ここで、ＯＳＤデータ部６ｃは、ＮＴＳＣエンコーダ６ｄで変換されたＮＴＳＣ映像信号における各走査線の奇数ライン、偶数ラインを識別して、その識別結果に応じて、文字データの表示位置を決定して、ビデオデータにスーパーインポーズする。
【００２５】
尚、本実施形態で用いた低画素タイプの液晶表示パネルは、図２に示すように、例えば縦２４０画素×横４８０画素で構成される８インチの液晶表示パネルである。ＮＴＳＣ方式の走査線数５２５本のうち、画面上に表示される有効走査線数４８０本の映像を、図２の垂直方向の画素数が２４０画素を有する液晶表示パネルに表示するため、奇数フィールドの各走査線と偶数フィールドの各走査線とを同一画素上に表示する。
【００２６】
次に、本実施形態のオンスクリーン表示装置によるオンスクリーン文字の表示動作を説明する。ここでは、図３に示すように、液晶表示パネルの画面上に一例として漢字文字の「二」を表示する場合について説明する。
【００２７】
図３（ａ）は例えば１フレームの走査線、すなわち映像信号の第一フィールドと第二フィールドとの計４８０本に文字データを重畳した様子を示す。本実施形態では、液晶画面にオンスクリーンするビットマップ文字のスタート位置を必ず走査線の奇数ライン目からとするために、図３（ｂ）のように、文字「二」の上の横棒「一」すなわち１ドット目の位置は、例えば第一フィールドの▲１▼ライン目から描画する。また、必ず走査線上下２ドット一組で描くので、すぐ下の２ドット目は例えば第二フィールドの▲２▼ライン目から描画する。
【００２８】
次に、文字「二」の下の横棒「一」も必ず走査線上下２ドット一組とするとともに、上の１ドット目のスタート位置を必ず奇数ライン目から描くため、図３（ｂ）のように、第一フィールドの▲７▼ライン目から描く、またすぐ下の２ドット目は同図第二フィールドの▲８▼ライン目から描画する。
【００２９】
これを映像信号の時間軸でみた場合は、図３（ｂ）のように、文字データがビデオデータに重畳される。この時点では、走査線４８０本に文字データを重畳し、これを液晶表示装置側に送出する。
【００３０】
図３（ｃ）は低画素タイプの液晶パネルにＮＴＳＣインターレース方式の映像信号を入力して奇数フィールドの各走査線と偶数フィールドの各走査線とを同一画素上に表示する動作を説明する図である。
【００３１】
図３（ｃ）において、文字「二」の上の横棒「一」すなわち１ドット目は、垂直画素数２４０画素の例えば▲１▼ライン目に描く、また、下の２ドット目はすぐ上のラインに繰り上げされるので▲１▼ライン目と同じラインに重ね書きされることになる。
【００３２】
また、図３（ｃ）において、文字「二」の下の横棒「一」すなわち１ドット目は、垂直画素数２４０画素の例えば▲７▼ライン目に描く、また、下の２ドット目はすぐ上のラインに繰り上げされるので▲７▼ライン目と同じラインに重ね書きされることになる。
【００３３】
すなわち、液晶表示装置の画面上で見れば、図３（ｄ）に示すように、文字「二」は上下の「一」文字とも重ね書きされるため、画面上の文字の輪郭をはっき表示することができ、ちらつきやフリッカーを大きく改善することが可能となる。
【００３４】
図４乃至図６は本実施形態において、カタカナ文字の「ジ」、漢字文字の「違」及び「停」をそれぞれオンスクリーン表示する場合の例を示す。まず、図４の表示例は、本実施形態に係る文字「ジ」のビットマップ文字を、走査線上に表示させた例で、水平方向の１ラインに奇数＋偶数ライン２ドットの組で表示した時の見え方を示す説明図である。
【００３５】
文字「ジ」は斜め方向の文字を表現する例で、文字の各構成要素の書き始めと書き終わりとがはっきり出るように、奇数＋偶数ライン２ドットの組で構成されている。この場合、文字を構成する要素の書き始めと書き終わりの部分を、奇数＋偶数ラインの組で描くことにより、文字の途中のラインが多少ボケたとしても、人間の認識上、ちらつきの問題がない文字表示を実現することができる。
【００３６】
また、図５に示すように、文字「違」はその外形を構成する要素、或いはその水平ライン方向の要素のうち幅の広いものから優先的に前記走査線の奇数ライン目と偶数ライン目の２ドットの組で構成されている。
【００３７】
すなわち、文字の外形を構成する要素における、水平方向の要素のうち、横方向の幅の広い部分、すなわち、文字の水平方向（横方向）のドット数の多いラインから順番に優先順位をつけ、奇数＋偶数ライン２ドットの組で構成している。これによって、それ以外の要素が多少ボケたとしても、人間の認識上、ちらつきの問題がない文字表示を実現することができる。
【００３８】
さらに、図６に示すように、文字「停」はその構成要素の一部を省略するために、その水平ライン方向の要素のうち幅の広いものに近接する要素の上端あるいは下端を兼用して構成されている。
【００３９】
すなわち、文字の要素の一部を省略する場合は、水平方向の要素のうち幅の広いもの、すなわち、文字の水平方向（横方向）のドット数の多いラインから順番に優先順位をつけて、近接する要素（走査ラインが上下隣の要素）の上端（または下端）を兼用するようにしている。
【００４０】
以上のように形成されたビットマップマップ文字をフラッシュＲＯＭ５に格納しておき、ＯＳＤデータ部６によりビデオデータに重畳する位置を指定・管理することによって、画面上にオンスクリーン表示する表示ガイダンスの輪郭を鮮明にするとともに、画素数の多い複雑な文字の視認性を向上させることが可能となる。
【００４１】
尚、上述した本実施形態においては、液晶テレビ内臓型ポータブルＤＶＤプレーヤーについて説明したが、ビットマップ文字データと例えばＤ／Ａコンバータを用いれば、一般のアナログ映像信号を液晶表示パネルに表示する液晶ディスプレイなどに適用することが可能であることは明らかである。
【００４２】
【発明の効果】
本発明によれば、以上説明したように、文字、記号、またはアイコン等の表示ガイダンスを構成する要素の少なくとも一部分が、入力映像信号における走査線の奇数ライン目と偶数ライン目との上下２ドットづつの一組を構成要素の１単位として構成されたビットマップ文字を用いるとともに、オンスクリーンする表示ガイダンスのスタート位置が奇数ライン目になるように重畳しているので、液晶表示パネルの走査線構成や液晶ドライバーの動作条件に合わせたオンスクリーン表示が可能となる。
【００４３】
従って、オンスクリーン文字を２走査ライン重ね書きすることができるので、オンスクリーン文字の垂直方向解像度の低下を改善し、輪郭のはっきりした、ちらつきやフリッカーの少ないオンスクリーン表示を行うことが可能である。
【００４４】
また、ビットマップ文字を、人間の視覚応じて優先的に、走査線の上下２ドットづつの一組を構成要素として形成したり、適切な要素を省略して形成しているので、画数の多いビットマップ文字、例えば複雑な漢字などを表示する場合であっても、主要な構成要素は２走査ラインを重ね書きして、はっきり描くことができ、視認性を大きく向上することが可能となる。
【図面の簡単な説明】
【図１】本発明のオンスクリーン表示装置の一実施形態の概略構成を示すブロック図である。
【図２】本発明のオンスクリーン表示装置の一実施形態に用いた液晶表示パネルの画素数を示す説明図である。
【図３】本発明のオンスクリーン表示装置の一実施形態における文字表示画面と走査線との関連を示す説明図である。
【図４】本発明のオンスクリーン表示装置の一実施形態におけるビットマップ文字の一例を示す説明図である。
【図５】本発明のオンスクリーン表示装置の一実施形態におけるビットマップ文字の一例を示す説明図である。
【図６】本発明のオンスクリーン表示装置の一実施形態におけるビットマップ文字の一例を示す説明図である。
【図７】従来のオンスクリーン表示装置における文字表示画面と走査線との関連を示す説明図である。
【図８】従来のオンスクリーン表示装置における重畳文字の表示スタート位置と表示画面との関連を示す説明図である。
【図９】従来のオンスクリーン表示装置における重畳文字の表示スタート位置と表示画面との関連を示す説明図である。
【符号の説明】
１  ＤＶＤ
２  フロントプロセッサー
２ａ  光ピックアップ
２ｂ  ＲＦアンプ
２ｃ  イコライザ
２ｄ  チャンネルデコーダ
３  リモコン
４  ＣＰＵ
５  フラッシュＲＯＭ
６  ＡＶデコーダ
６ａ  音声データ部
６ｂ  映像データ部
６ｃ  ＯＳＤデータ部
６ｄ  ＮＴＳＣエンコーダ
７  Ｄ／Ａコンバータ
８  スピーカ
９  ＬＣＤコントローラ
１０  ＬＣＤユニット
【図１】
0003625180.tif 000002
【図２】
0003625180.tif 000003
【図３】
0003625180.tif 000004
【図４】
0003625180.tif 000005
【図５】
0003625180.tif 000006
【図６】
0003625180.tif 000007
【図７】
0003625180.tif 000008
【図８】
0003625180.tif 000009
【図９】
0003625180.tif 000010